【手続補正書】
【提出日】令和1年6月28日(2019.6.28)
【手続補正１】
【補正対象書類名】特許請求の範囲
【補正対象項目名】全文
【補正方法】変更
【補正の内容】
【特許請求の範囲】
【請求項１】
マシンタイプ通信ユーザ機器によるワイヤレス通信の方法であって、  アップリンクデータチャネル用のバンドルされたリソースの第１のセットを使って通信することと、
前記バンドルされたリソースの第１のセットとバンドルされたリソースの第２のセットとの間の時間差を識別することと、
前記バンドルされたリソースの第２のセットのバンドルサイズまたは前記バンドルされたリソースの第１のセットの最大バンドルサイズに少なくとも部分的に基づいて、ダウンリンク制御チャネル用のバンドルされたリソースの第２のセットが、前記アップリンクデータチャネルと同じハイブリッド自動再送要求（ＨＡＲＱ）プロセス識別子をもつアップリンク許可、前記アップリンクデータチャネルとは異なるＨＡＲＱプロセス識別子をもつアップリンク許可、またはダウンリンク許可を備えるかどうかを決定することと、
前記決定することおよび前記識別することに少なくとも部分的に基づいて、前記バンドルされたリソースの第２のセットを使って通信することと
を備える方法。
【請求項２】
前記バンドルされたリソースの第１のセットは、第１の閾値以下である第１のバンドリングサイズを備え、前記バンドルされたリソースの第２のセットは、第２の閾値以下である第２のバンドリングサイズを備え、前記第１および第２の閾値はユーザ機器または基地局に事前に知られている、請求項１に記載の方法。
【請求項３】
前記バンドルされたリソースの第２のセット中の許可によって割り当てられた、バンドルされたリソースの第３のセットが、別のダウンリンク制御チャネル用のバンドルされたリソースの第４のセットと時間的に重複すると決定することをさらに備え、前記バンドルされたリソースの第２のセットを使って通信することは、前記バンドルされたリソースの第２のセット中の前記許可を取り下げることを備える、請求項１に記載の方法。
【請求項４】
前記バンドルされたリソースの第２のセットが、前記アップリンクデータチャネルと前記同じＨＡＲＱプロセス識別子をもつ前記アップリンク許可を備えると決定することをさらに備え、前記バンドルされたリソースの第２のセットを使って通信することは、前記時間差を識別したことに少なくとも基づいて、前記アップリンク許可を取り下げることを備える、請求項１に記載の方法。
【請求項５】
前記バンドルされたリソースの第１のセットと前記バンドルされたリソースの第２のセットとの間の前記時間差を決定することをさらに備え、前記バンドルされたリソースの第２のセットを使って通信することは、前記時間差に少なくとも部分的に基づく、請求項１に記載の方法。
【請求項６】
前記バンドルされたリソースの第１のセットを使って通信することは、前記バンドルされたリソースの第１のセットのサブセットを使うことを備える、請求項５に記載の方法。
【請求項７】
マシンタイプ通信ユーザ機器によるワイヤレス通信のための装置であって、
アップリンクデータチャネル用のバンドルされたリソースの第１のセットを使って通信するための手段と、
前記バンドルされたリソースの第１のセットとバンドルされたリソースの第２のセットとの間の時間差を識別するための手段と、
前記バンドルされたリソースの第２のセットのバンドルサイズまたは前記バンドルされたリソースの第１のセットの最大バンドルサイズに少なくとも部分的に基づいて、ダウンリンク制御チャネル用のバンドルされたリソースの第２のセットが、前記アップリンクデータチャネルと同じハイブリッド自動再送要求（ＨＡＲＱ）プロセス識別子をもつアップリンク許可、前記アップリンクデータチャネルとは異なるＨＡＲＱプロセス識別子をもつアップリンク許可、またはダウンリンク許可を備えるかどうかを決定するための手段と、
前記決定することおよび前記識別することに少なくとも部分的に基づいて、前記バンドルされたリソースの第２のセットを使って通信するための手段とを備える装置。
【請求項８】
前記バンドルされたリソースの第１のセットは、第１の閾値以下である第１のバンドリングサイズを備え、前記バンドルされたリソースの第２のセットは、第２の閾値以下である第２のバンドリングサイズを備え、前記第１および第２の閾値はユーザ機器または基地局に事前に知られている、請求項７に記載の装置。
【請求項９】
前記バンドルされたリソースの第２のセット中の許可によって割り当てられた、バンドルされたリソースの第３のセットが、別のダウンリンク制御チャネル用のバンドルされたリソースの第４のセットと時間的に重複すると決定するための手段をさらに備え、前記バンドルされたリソースの第２のセットを使って通信することは、前記バンドルされたリソースの第２のセット中の前記許可を取り下げることを備える、請求項７に記載の装置。
【請求項１０】
前記バンドルされたリソースの第２のセットが、前記アップリンクデータチャネルと前記同じＨＡＲＱプロセス識別子をもつ前記アップリンク許可を備えると決定するための手段をさらに備え、前記バンドルされたリソースの第２のセットを使って通信することは、前記時間差を識別したことに少なくとも基づいて、前記アップリンク許可を取り下げることを備える、請求項７に記載の装置。
【請求項１１】
前記バンドルされたリソースの第１のセットと前記バンドルされたリソースの第２のセットとの間の前記時間差を決定するための手段をさらに備え、前記バンドルされたリソースの第２のセットを使って通信することは、前記時間差に少なくとも部分的に基づく、請求項７に記載の装置。
【請求項１２】
前記バンドルされたリソースの第１のセットを使って通信するための前記手段は、前記バンドルされたリソースの第１のセットのサブセットを使うことを備える、請求項１１に記載の装置。
【請求項１３】
マシンタイプ通信ユーザ機器によるワイヤレス通信のためのコードを記憶する非一時的コンピュータ可読媒体であって、前記コードは、
アップリンクデータチャネル用のバンドルされたリソースの第１のセットを使って通信し、
前記バンドルされたリソースの第１のセットとバンドルされたリソースの第２のセットとの間の時間差を識別し、
前記バンドルされたリソースの第２のセットのバンドルサイズまたは前記バンドルされたリソースの第１のセットの最大バンドルサイズに少なくとも部分的に基づいて、ダウンリンク制御チャネル用のバンドルされたリソースの第２のセットが、前記アップリンクデータチャネルと同じハイブリッド自動再送要求（ＨＡＲＱ）プロセス識別子をもつアップリンク許可、前記アップリンクデータチャネルとは異なるＨＡＲＱプロセス識別子をもつアップリンク許可、またはダウンリンク許可を備えると決定し、
前記決定および前記識別に少なくとも部分的に基づいて、前記バンドルされたリソースの第２のセットを使って通信する
ように実行可能な命令を備える、非一時的コンピュータ可読媒体。
【手続補正２】
【補正対象書類名】明細書
【補正対象項目名】０２０７
【補正方法】変更
【補正の内容】
【０２０７】
[0214]本明細書の説明は、当業者が本開示を作成または使用することができるように与えられたものである。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ワイヤレス通信の方法であって、
アップリンクデータチャネル用のバンドルされたリソースの第１のセットを使って通信することと、
ダウンリンク制御チャネル用のバンドルされたリソースの第２のセットが、前記アップリンクデータチャネルと同じハイブリッド自動再送要求（ＨＡＲＱ）プロセス識別子をもつアップリンク許可、前記アップリンクデータチャネルとは異なるハイブリッド自動再送ＨＡＲＱプロセス識別子をもつアップリンク許可、またはダウンリンク許可を備えると決定することと、
前記バンドルされたリソースの第１のセットと前記バンドルされたリソースの第２のセットとの間の時間差を識別することと、
前記決定することおよび前記識別することに少なくとも部分的に基づいて、前記バンドルされたリソースの第２のセットを使って通信することとを備える方法。
［Ｃ２］
前記バンドルされたリソースの第１のセットは、第１の閾値以下である第１のバンドリングサイズを備え、前記バンドルされたリソースの第２のセットは、第２の閾値以下である第２のバンドリングサイズを備え、前記第１および第２の閾値はユーザ機器または基地局に事前に知られている、［Ｃ１］に記載の方法。
［Ｃ３］
前記バンドルされたリソースの第２のセットが前記アップリンク許可を備えるかどうかの前記決定は、前記バンドルされたリソースの第２のセットの周期性、または前記バンドルされたリソースの第１のセットの最大バンドルサイズに少なくとも部分的に基づく、［Ｃ１］に記載の方法。
［Ｃ４］
前記バンドルされたリソースの第２のセット中の許可によって割り当てられた、バンドルされたリソースの第３のセットが、別のダウンリンク制御チャネル用のバンドルされたリソースの第４のセットと時間的に重複すると決定することをさらに備え、前記バンドルされたリソースの第２のセットを使って通信することは、前記バンドルされたリソースの第２のセット中の前記許可を取り下げることを備える、［Ｃ１］に記載の方法。
［Ｃ５］
前記バンドルされたリソースの第２のセットが、前記アップリンクデータチャネルと前記同じＨＡＲＱプロセス識別子をもつ前記アップリンク許可を備えると決定することをさらに備え、前記バンドルされたリソースの第２のセットを使って通信することは、前記時間差を識別したことに少なくとも基づいて、前記アップリンク許可を取り下げることを備える、［Ｃ１］に記載の方法。
［Ｃ６］
前記バンドルされたリソースの第１のセットと前記バンドルされたリソースの第２のセットとの間の前記時間差を決定することをさらに備え、前記バンドルされたリソースの第２のセットを使って通信することは、前記時間差に少なくとも部分的に基づく、［Ｃ１］に記載の方法。
［Ｃ７］
前記バンドルされたリソースの第１のセットを使って通信することは、前記バンドルされたリソースの第１のセットのサブセットを使うことを備える、［Ｃ６］に記載の方法。
［Ｃ８］
ワイヤレス通信の方法であって、
第１のリソースセットについての第１の許可を受信することと、
第２のリソースセットについての第２の許可を受信することと、
前記第１のリソースセットの一部分が前記第２のリソースセットの一部分と重複すると決定することと、
前記第１の許可と前記第２の許可との間の優先度付けに従って、前記第１のリソースセットまたは前記第２のリソースセットを使って通信することとを備える方法。
［Ｃ９］
前記優先度に少なくとも部分的に基づいて、前記第１の許可または前記第２の許可を取り下げることをさらに備える、［Ｃ８］に記載の方法。
［Ｃ１０］
前記第１のリソースセットまたは前記第２のリソースセットを使って通信することは、  前記第１のリソースセットと、前記第２のリソースセットの非重複部分とを使って通信することを備える、［Ｃ８］に記載の方法。
［Ｃ１１］
前記第１および第２のリソースセットは各々、アップリンクチャネルまたはダウンリンクチャネルのバンドルされたリソースを備える、［Ｃ８］に記載の方法。
［Ｃ１２］
ワイヤレス通信のための装置であって、
アップリンクデータチャネル用のバンドルされたリソースの第１のセットを使って通信するための手段と、
ダウンリンク制御チャネル用のバンドルされたリソースの第２のセットが、前記アップリンクデータチャネルと同じハイブリッド自動再送要求（ＨＡＲＱ）プロセス識別子をもつアップリンク許可、前記アップリンクデータチャネルとは異なるＨＡＲＱプロセス識別子をもつアップリンク許可、またはダウンリンク許可を備えると決定するための手段と、  前記バンドルされたリソースの第１のセットと前記バンドルされたリソースの第２のセットとの間の時間差を識別するための手段と、
前記決定することおよび前記識別することに少なくとも部分的に基づいて、前記バンドルされたリソースの第２のセットを使って通信するための手段とを備える装置。
［Ｃ１３］
前記バンドルされたリソースの第１のセットは、第１の閾値以下である第１のバンドリングサイズを備え、前記バンドルされたリソースの第２のセットは、第２の閾値以下である第２のバンドリングサイズを備え、前記第１および第２の閾値はユーザ機器または基地局に事前に知られている、［Ｃ１２］に記載の装置。
［Ｃ１４］
前記バンドルされたリソースの第２のセットが前記アップリンク許可を備えるかどうかの前記決定は、前記バンドルされたリソースの第２のセットの周期性、または前記バンドルされたリソースの第１のセットの最大バンドルサイズに少なくとも部分的に基づく、［Ｃ１２］に記載の装置。
［Ｃ１５］
前記バンドルされたリソースの第２のセット中の許可によって割り当てられた、バンドルされたリソースの第３のセットが、別のダウンリンク制御チャネル用のバンドルされたリソースの第４のセットと時間的に重複すると決定するための手段をさらに備え、前記バンドルされたリソースの第２のセットを使って通信することは、前記バンドルされたリソースの第２のセット中の前記許可を取り下げることを備える、［Ｃ１２］に記載の装置。
［Ｃ１６］
前記バンドルされたリソースの第２のセットが、前記アップリンクデータチャネルと前記同じＨＡＲＱプロセス識別子をもつ前記アップリンク許可を備えると決定するための手段をさらに備え、前記バンドルされたリソースの第２のセットを使って通信することは、前記時間差を識別したことに少なくとも基づいて、前記アップリンク許可を取り下げることを備える、［Ｃ１２］に記載の装置。
［Ｃ１７］
前記バンドルされたリソースの第１のセットと前記バンドルされたリソースの第２のセットとの間の前記時間差を決定するための手段をさらに備え、前記バンドルされたリソースの第２のセットを使って通信することは、前記時間差に少なくとも部分的に基づく、［Ｃ１２］に記載の装置。
［Ｃ１８］
前記バンドルされたリソースの第１のセットを使って通信するための前記手段は、前記バンドルされたリソースの第１のセットのサブセットを使うことを備える、［Ｃ１７］に記載の装置。
［Ｃ１９］
ワイヤレス通信のための装置であって、
第１のリソースセットについての第１の許可を受信するための手段と、
第２のリソースセットについての第２の許可を受信するための手段と、
前記第１のリソースセットの一部分が前記第２のリソースセットの一部分と重複すると決定するための手段と、
前記第１の許可と前記第２の許可との間の優先度付けに従って、前記第１のリソースセットまたは前記第２のリソースセットを使って通信するための手段とを備える装置。
［Ｃ２０］
前記優先度に少なくとも部分的に基づいて、前記第１の許可または前記第２の許可を取り下げるための手段をさらに備える、［Ｃ１９］に記載の装置。
［Ｃ２１］
前記第１のリソースセットまたは前記第２のリソースセットを使って通信するための前記手段は、
前記第１のリソースセットと、前記第２のリソースセットの非重複部分とを使って通信するための手段を備える、［Ｃ１９］に記載の装置。
［Ｃ２２］
前記第１および第２のリソースセットは各々、アップリンクチャネルまたはダウンリンクチャネルのバンドルされたリソースを備える、［Ｃ１９］に記載の装置。
［Ｃ２３］
ワイヤレス通信のための装置であって、
プロセッサと、
前記プロセッサと電子通信しているメモリと、
前記メモリに記憶された命令とを備え、前記命令は、前記プロセッサによって実行されると、前記装置に、
アップリンクデータチャネル用のバンドルされたリソースの第１のセットを使って通信させ、
ダウンリンク制御チャネル用のバンドルされたリソースの第２のセットが、前記アップリンクデータチャネルと同じハイブリッド自動再送要求（ＨＡＲＱ）プロセス識別子をもつアップリンク許可、前記アップリンクデータチャネルとは異なるハイブリッド自動再送要求（ＨＡＲＱ）プロセス識別子をもつアップリンク許可、またはダウンリンク許可を備えると決定させ、
前記バンドルされたリソースの第１のセットと前記バンドルされたリソースの第２のセットとの間の時間差を識別させ、
前記決定および前記識別に少なくとも部分的に基づいて、前記バンドルされたリソースの第２のセットを使って通信させる、装置。
［Ｃ２４］
前記バンドルされたリソースの第１のセットは、第１の閾値以下である第１のバンドリングサイズを備え、前記バンドルされたリソースの第２のセットは、第２の閾値以下である第２のバンドリングサイズを備え、前記第１および第２の閾値はユーザ機器または基地局に事前に知られている、［Ｃ２３］に記載の装置。
［Ｃ２５］
前記バンドルされたリソースの第２のセットが前記アップリンク許可を備えるかどうかの前記決定は、前記バンドルされたリソースの第２のセットの周期性、または前記バンドルされたリソースの第１のセットの最大バンドルサイズに少なくとも部分的に基づく、［Ｃ２３］に記載の装置。
［Ｃ２６］
前記命令は、前記装置に、
前記バンドルされたリソースの第２のセット中の許可によって割り当てられた、バンドルされたリソースの第３のセットが、別のダウンリンク制御チャネル用のバンドルされたリソースの第４のセットと時間的に重複すると決定させるように動作可能であり、前記バンドルされたリソースの第２のセットを使って通信することは、前記バンドルされたリソースの第２のセット中の前記許可を取り下げることを備える、［Ｃ２３］に記載の装置。
［Ｃ２７］
前記命令は、前記装置に、
前記バンドルされたリソースの第２のセットが、前記アップリンクデータチャネルと前記同じＨＡＲＱプロセス識別子をもつ前記アップリンク許可を備えると決定させるように動作可能であり、前記バンドルされたリソースの第２のセットを使って通信することは、前記時間差を識別したことに少なくとも基づいて、前記アップリンク許可を取り下げることを備える、［Ｃ２３］に記載の装置。
［Ｃ２８］
前記命令は、前記装置に、
前記バンドルされたリソースの第１のセットと前記バンドルされたリソースの第２のセットとの間の前記時間差を決定させるように動作可能であり、前記バンドルされたリソースの第２のセットを使って通信することは、前記時間差に少なくとも部分的に基づく、［Ｃ２３］に記載の装置。
［Ｃ２９］
前記バンドルされたリソースの第１のセットを使って通信することは、前記バンドルされたリソースの第１のセットのサブセットを使うことを備える、［Ｃ２８］に記載の装置。
［Ｃ３０］
ワイヤレス通信のための装置であって、
プロセッサと、
前記プロセッサと電子通信しているメモリと、
前記メモリに記憶された命令とを備え、前記命令は、前記プロセッサによって実行されると、前記装置に、
第１のリソースセットについての第１の許可を受信させ、
第２のリソースセットについての第２の許可を受信させ、
前記第１のリソースセットの一部分が前記第２のリソースセットの一部分と重複すると決定させ、
前記第１の許可と前記第２の許可との間の優先度付けに従って、前記第１のリソースセットまたは前記第２のリソースセットを使って通信させる、装置。
［Ｃ３１］
前記命令は、前記装置に、
前記優先度に少なくとも部分的に基づいて、前記第１の許可または前記第２の許可を取り下げさせるように動作可能である、［Ｃ３０］に記載の装置。
［Ｃ３２］
前記命令は、前記装置に、
前記第１のリソースセットと、前記第２のリソースセットの非重複部分とを使って通信させるように動作可能である、［Ｃ３０］に記載の装置。
［Ｃ３３］
前記第１および第２のリソースセットは各々、アップリンクチャネルまたはダウンリンクチャネルのバンドルされたリソースを備える、［Ｃ３０］に記載の装置。
［Ｃ３４］
ワイヤレス通信のためのコードを記憶する非一時的コンピュータ可読媒体であって、前記コードは、
アップリンクデータチャネル用のバンドルされたリソースの第１のセットを使って通信し、
ダウンリンク制御チャネル用のバンドルされたリソースの第２のセットが、前記アップリンクデータチャネルと同じハイブリッド自動再送要求（ＨＡＲＱ）プロセス識別子をもつアップリンク許可、前記アップリンクデータチャネルとは異なるハイブリッド自動再送要求（ＨＡＲＱ）プロセス識別子をもつアップリンク許可、またはダウンリンク許可を備えると決定し、
前記バンドルされたリソースの第１のセットと前記バンドルされたリソースの第２のセットとの間の時間差を識別し、
前記決定および前記識別に少なくとも部分的に基づいて、前記バンドルされたリソースの第２のセットを使って通信するように実行可能な命令を備える、非一時的コンピュータ可読媒体。
［Ｃ３５］
ワイヤレス通信のためのコードを記憶する非一時的コンピュータ可読媒体であって、前記コードは、
第１のリソースセットについての第１の許可を受信し、
第２のリソースセットについての第２の許可を受信し、
前記第１のリソースセットの一部分が前記第２のリソースセットの一部分と重複すると決定し、
前記第１の許可と前記第２の許可との間の優先度付けに従って、前記第１のリソースセットまたは前記第２のリソースセットを使って通信するように実行可能な命令を備える、非一時的コンピュータ可読媒体。